(57)【特許請求の範囲】
【請求項１】
煙幕発生器と支持体に取り付けられたファンを備えた煙幕発生装置であって、
前記煙幕発生器が、煙幕源排出口を有するハウジング内において点火器と煙幕源発生剤組成物を有しており、さらに前記ハウジングの外表面に熱電素子が配置されているものであり、
前記支持体が、前記煙幕発生器を包囲した状態で配置されたものであり、さらに煙幕源を排出するための複数の開口部を有するものであって、
前記ファンが、前記熱電素子と電気的に接続されており、前記熱電素子により発電され電気により作動されるものである、煙幕発生装置。
【請求項２】
煙幕発生器と支持体に取り付けられたファンを備えた煙幕発生装置であって、
前記煙幕発生器が、
煙幕源排出口を有するハウジング内において、互いに分離され、内部に煙幕源発生剤組成物が充填された第１煙幕源発生室と第２煙幕源発生室を有しており、
前記第１煙幕源発生室が、第１点火器と第１煙幕源発生剤組成物を有しており、
前記第２煙幕源発生室が、第２点火器と第２煙幕源発生剤組成物を有しており、
さらに前記ハウジングの外表面に熱電素子が配置されているものであり、
前記ファンが、前記熱電素子と電気的に接続されており、前記熱電素子により発電され電気により作動されるものである、煙幕発生装置。
【請求項３】
前記ハウジングの外表面と前記熱電素子の間に温度調節用の断熱材が介在されている、請求項１または２記載の煙幕発生装置。
【請求項４】
前記ハウジングおよび前記ファンがアルミニウムからなるものである、請求項１〜３のいずれか１項記載の煙幕発生装置。
【請求項５】
前記煙幕源発生剤組成物が燃料と酸化剤を含むものであり、燃焼によりアルカリ金属の塩化物、酸化物または炭酸塩を生じさせるものである、請求項１〜４のいずれか１項記載の煙幕発生装置。
【請求項６】
前記煙幕源発生剤組成物がさらに発煙剤を含んでいる、請求項５記載の煙幕発生装置。
【発明の詳細な説明】
【技術分野】
【０００１】
本発明は、防犯装置に使用できる煙幕発生装置に関する。
【背景技術】
【０００２】
店舗や部屋などに不法侵入してきた侵入者に対して、逃走経路を視覚的に遮断して精神的に混乱を生じさせ、捕捉までの時間を確保する目的で、部屋の天井や壁などに発煙器を取り付ける場合がある。
【０００３】
特許文献１には防犯用煙幕装置の考案が記載されているが、高圧ガスが充填されたガスタンクを必須とするものであり、ガスとしては二酸化炭素が例示されている。
【０００４】
特許文献２には、点火装置と発煙剤などを備えた煙幕生成装置が記載されている。発煙剤としては、酸化亜鉛、過塩素酸アンモニウム、塩化ビニル、炭酸カルシウムからなる組成物を錠剤状に成形したものが記載されている（段落番号００２０）。
塩化ビニルは塩化ビニル樹脂と考えられるが、塩化ビニル樹脂は燃焼により有害な塩素ガスを発生することが考えられるため、安全性の点で問題がある。
【先行技術文献】
【特許文献】
【０００５】
【特許文献１】実用新案登録第２５００５９１号公報
【特許文献２】特許第３８１６８６７号公報
【発明の概要】
【発明が解決しようとする課題】
【０００６】
本発明は、瞬時に煙幕を発生させ、かつ発生させた煙幕を拡散させることができる、煙幕発生装置を提供することを課題とする。
【課題を解決するための手段】
【０００７】
本願発明は、課題の解決手段として、
煙幕発生器と支持体に取り付けられたファンを備えた煙幕発生装置であって、
前記煙幕発生器が、煙幕源排出口を有するハウジング内において点火器と煙幕源発生剤組成物を有しており、さらに前記ハウジングの外表面に熱電素子が配置されているものであり、
前記ファンが、前記熱電素子と電気的に接続されており、前記熱電素子により発電され電気により作動されるものである、煙幕発生装置を提供する。
【０００８】
本発明の煙幕発生装置（第１の煙幕発生装置）は、屋内に取り付けて防犯装置として使用することができる。防犯装置として使用するときは、例えば、屋内への不法侵入者を検知できるセンサー、制御装置および電源などと組み合わせて使用することができるほか、遠隔操作システムなどと組み合わせて使用することもできる。
【０００９】
本発明の煙幕発生装置（第１の煙幕発生装置）は、煙幕発生器とファンを備えており、煙幕発生器のハウジング表面に熱電素子が配置されていることが特徴である。
熱電素子（または熱電変換素子）は、表面と裏面（上面と下面）の温度差を利用して発電するものであり、本発明の場合には、ハウジング表面に接触している面が高温となり、反対面が相対的に低温となるため、この温度差を利用して発電することになる。
このような熱電素子は、特許第４９０８４２６号公報、特開２００６−７３６３２号公報、特開２０１４−１０３２４６号公報、特開２０１４−１１２５８７号公報、特開２０１３−１９７２６５号公報、特開２０１４−４９５８７号公報、特開２０１４−８２４０３号公報、特開２０１４−８６４５４号公報などに記載されている。
【００１０】
点火器は、公知のエアバッグ装置用のガス発生器で使用しているものと同じ電気式点火器を使用することができ、使用時には外部電源と接続される。
また、必要に応じて、点火器と共に、公知のエアバッグ装置用のガス発生器で点火器と併用している伝火薬を使用することもできる。
【００１１】
ファンを取り付けるための支持体は、ファンを取り付けることができ、好ましくは煙幕発生器を包囲した状態で配置できるものであればよく、開口部のある箱体、枠体などを使用することができる。
支持体は、煙幕発生器と別部材であってもよいし、煙幕発生器と一体になったものでもよい。
【００１２】
本発明の煙幕発生装置（第１の煙幕発生装置）は、煙幕発生器の点火器の作動により煙幕源発生剤組成物が着火燃焼されると、ハウジング内には煙幕源が発生すると共に、燃焼熱で高温状態になるため、ハウジング自体も高温になる。
煙幕源はガス状であり、煙幕源排出口から室内に排出されて冷却されることで煙幕を生じる。
これと並行して、ハウジングの外表面に配置された熱電素子により発電された電気によって、ファンが作動して送風が開始されるため、煙幕は速やかに室内に拡散されることになる。
なお、熱電素子により発電される電力量は小さいが、ファン自体も小型であり、ファンの送風運転時間も煙幕の拡散時間を考慮しても数分程度であるため、実用上の問題はない。
【００１３】
本願発明は、課題の他の解決手段として、
煙幕発生器と支持体に取り付けられたファンを備えた煙幕発生装置であって、
前記煙幕発生器が、
煙幕源排出口を有するハウジング内において、互いに分離され、内部に煙幕源発生剤組成物が充填された第１煙幕源発生室と第２煙幕源発生室を有しており、
前記第１煙幕源発生室が、第１点火器と第１煙幕源発生剤組成物を有しており、
前記第２煙幕源発生室が、第２点火器と第２煙幕源発生剤組成物を有しており、
さらに前記ハウジングの外表面に熱電素子が配置されているものであり、
前記ファンが、前記熱電素子と電気的に接続されており、前記熱電素子により発電され電気により作動されるものである、煙幕発生装置を提供する。
【００１４】
本発明の煙幕発生器（第２の煙幕発生装置）は、第１点火器と第１煙幕源発生剤組成物を有する第１煙幕源発生室と、第２点火器と第２煙幕源発生剤組成物を有する第２煙幕源発生室を備えている。
第１点火器と第２点火器は、それぞれが独立して作動することができるものであり、公知のエアバッグ装置用のガス発生器で使用しているものと同じ電気式点火器を使用することができる。
また、必要に応じて、第１点火器と第２点火器と共に、公知のエアバッグ装置用のガス発生器で点火器と併用している伝火薬を使用することもできる。
【００１５】
ファンを取り付けるための支持体は、ファンを取り付けることができ、好ましくは煙幕発生器を包囲した状態で配置できるものであればよく、開口部のある箱体、枠体などを使用することができる。
支持体は、煙幕発生器と別部材であってもよいし、煙幕発生器と一体になったものでもよい。
【００１６】
本発明の煙幕発生装置は（第２の煙幕発生装置）、煙幕発生器の点火器の作動により第１煙幕源発生剤組成物と第２煙幕源発生剤組成物が着火燃焼されると、ハウジング内には煙幕源が発生すると共に、燃焼熱で高温状態になるため、ハウジング自体も高温になる。
煙幕源はガス状であり、煙幕源排出口から室内に排出されて冷却されることで煙幕を生じる。
これと並行して、ハウジングの外表面に配置された熱電素子により発電された電気によって、ファンが作動して送風が開始されるため、煙幕は速やかに室内に拡散されることになる。
なお、熱電素子により発電される電力量は小さいが、ファン自体も小型であり、ファンの送風運転時間も煙幕の拡散時間を考慮しても数分程度であるため、実用上の問題はない。
【００１７】
本発明の煙幕発生装置（第２の煙幕発生装置）を作動させるときは、先に第１点火器を作動させ、遅れて第２点火器を作動させる方法（第１の作動方法）と、第１点火器と第２点火器を同時に作動させる方法（第２の作動方法）がある。
【００１８】
第１の作動方法の場合、第１点火器が作動して第１煙幕源発生剤組成物を着火燃焼させることで、第１煙幕源発生室内に第１煙幕源を発生させる。
第１煙幕源は、煙幕源排出口から室内に排出する。第１煙幕源はガス状であり、煙幕源排出口から室内に排出されて冷却されることで煙幕を生じる。
第２点火器が作動して第２煙幕源発生剤組成物を着火燃焼させることで、第２煙幕源発生室内に第２煙幕源を発生させる。
第２煙幕源は、煙幕源排出口から室内に排出する。第２煙幕源はガス状であり、煙幕源排出口から室内に排出されて冷却されることで煙幕を生じる。
このようにして時間差をおいて二段階で二つの点火器を作動させた場合には、煙幕源の排出時間が長くなるが（即ち、煙幕源の排出量も多くなるが）、ハウジングが高温状態である時間も長くなり、発電量も増加する。このため、ファンの送風運転時間もより長くすることができるようになり、十分に煙幕を拡散させることができる。
【００１９】
第２の作動方法の場合、第１点火器が作動して第１煙幕源発生剤組成物を着火燃焼させて第１煙幕源発生室内に第１煙幕源を発生させ、この動作と並行して、第２点火器が作動して第２煙幕源発生剤組成物を着火燃焼させて第２煙幕源発生室内に第２煙幕源を発生させる。
ガス状の第１煙幕源は、煙幕源排出口から室内に排出され、冷却されることで煙幕を生じ、ガス状の第２煙幕源は、煙幕源排出口から室内に排出され、冷却されることで煙幕を生じる。
このように二つの点火器を同時に動作させた場合には、一度に発生する煙幕源（煙幕）量が増加することになるが、ハウジングがより高温状態になり、発電量も増加する。このため、ファンの運転時間もより長くすることができるようになり、十分に煙幕を拡散させることができる。
【００２０】
なお、第１の作動方法を実施した場合には、第１煙幕源発生室内において、第１点火器が作動して第１煙幕源発生剤組成物を着火燃焼させることで高温の第１煙幕源が発生するが、このときの熱により第２煙幕源発生室内の第２煙幕源発生剤組成物が自然着火した場合には、望ましい時間差をおいて第２煙幕源を発生させることが難しくなる。
このような望ましくない動作を回避するため、第１煙幕源発生室と第２煙幕源発生室は互いに分離されている。
分離方法は特に制限されるものではなく、例えば、ハウジング内に配置したカップ部材や筒部材により２室に分離することができる。
また前記の望ましくない動作がより起こり難くなるようにするため、カップ部材または筒部材の内側および外側の一方または両方の一部または全部を断熱材で覆うこともできる。
【００２１】
自動車に搭載するエアバッグ装置用のガス発生器（２つの点火器を備えたガス発生器）の場合には、２つの点火器の作動時間差は１０〜１００ミリ秒程度である。
しかし、本発明の煙幕発生器（第２の煙幕発生装置）では、第１の作動方法を実施するときには、不法侵入者に対する威嚇効果を高め、犯罪防止効果を高めるため、２つの点火器の作動時間差は１〜１０秒の範囲に調整する。
【発明の効果】
【００２２】
本発明の煙幕発生装置は、煙幕を発生させると共に拡散することができるため、防犯装置として適している。
【図面の簡単な説明】
【００２３】
【図１】本発明の煙幕発生装置で使用する煙幕発生器の軸方向断面図。
【図２】本発明の煙幕発生装置で使用する別実施形態の煙幕発生器の軸方向断面図。
【図３】本発明の煙幕発生装置の一部断面図を含む側面図。
【発明を実施するための形態】
【００２４】
＜図１の本発明の煙幕発生装置で使用する煙幕発生器＞
本発明で使用する煙幕発生器は、公知のエアバッグ装置用のガス発生器（例えば、特開２０１０−８９２号公報の図１参照）をそのまま、または一部改変して使用することができるほか、特開平１０−３２４５８８号公報の図５に示されているような点火器が１つのガス発生器をそのまま、または一部改変して使用することができる。
また図１に示す形状のハウジングを使用したもののほか、シリンダー形状のハウジングを使用したものでもよい。
図１により本発明の煙幕発生装置（第２の煙幕発生装置）で使用する煙幕発生器１０の実施形態を説明する。
【００２５】
煙幕発生器１０は、第１シェル１２内に第２シェル１３が嵌め込まれた状態で接触部において溶接一体化されたアルミニウム製のハウジング１１を有している。
第１シェル１２は、天板部１４と第１周壁部１５を有しており、第１周壁部１５は煙幕源排出口１６を有している。煙幕源排出口１６は、防湿のため、内側からシールテープで閉塞されている。
第２シェル１３は、底板部１７と第２周壁部１８を有している。
ハウジングの周壁部は、第１周壁部１５と第２周壁部１８から形成されており、第１周壁部１５側はフランジ部１１ａを有している。
【００２６】
第１シェル１２の天板部１４には、熱電素子６０が天板部１４の外表面に貼り付けられた状態で配置されている。
熱電素子６０は薄い板片形状（例えば正方形）のものであり、天板部１４の表面と熱電素子６０の間には、必要に応じて断熱材を介在させることで、熱電素子６０が動作するための最適温度になるようにすることもできる。
なお、熱電素子６０の形状に応じて、第１シェル１２の天板部１４以外の部分に配置することもできる。
【００２７】
ハウジング１１内には、第１煙幕源発生室２０と第２煙幕源発生室３０が配置されている。
第１煙幕源発生室２０と第２煙幕源発生室３０は、第２煙幕源発生室３０を形成する第２カップ部材３１により分離されている。
第２カップ部材３１は、開口部側が底板部１７に位置し、閉塞面３２側が天板部１４側に位置するようにして、開口部側が底板部１７に溶接固定されている。
【００２８】
第１煙幕源発生室２０は、ハウジング１１内であり、第２カップ部材３１の外側空間である。
第１煙幕源発生室２０内には、第１カップ部材２１が配置され、内部には第１点火器２２と伝火薬（図示せず）が収容されている。
第１カップ部材２１は、開口部側が底板部１７に位置し、閉塞面２１ａ側が天板部１４側に位置するようにして、開口部側が底板部１７に溶接固定されている。
第１カップ部材２１の周壁２１ｂには、伝火孔２３が形成されている。
第１カップ部材２１の外側には、第１煙幕源発生剤組成物２５が充填されている。
【００２９】
第２カップ部材３１内は、第２煙幕源発生室３０となっており、第２点火器３３と第２煙幕源発生剤組成物３４が収容されている。
第２カップ部材３１の周壁には、第２煙幕源発生剤組成物３４から発生する第２煙幕源の排出口３５が形成されている。
第２煙幕源の排出口３５は、伝火孔２３とは半径方向に正対しない位置に形成されている。排出口３５は、外側からシールテープ（図示せず）でシールされているため、第１煙幕源発生室２０内で発生した高温の第１煙幕源によって、第２煙幕源発生室３０内の第２煙幕源発生剤組成物３４が着火燃焼することはない。
第２カップ部材３１は、内側または外側が断熱材で覆われていてもよい。第２カップ部材３１の内側または外側を断熱材で覆うときは、第１カップ部材２１の伝火孔２３に対して半径方向に正対する部分を覆うことが望ましい。
【００３０】
ハウジング１１内には、筒状フィルタ５０が配置されている。筒状フィルタ５０は、第１周壁部１５と第２周壁部１８との間に間隔をおいて配置されている。
筒状フィルタ５０は、公知のエアバッグ装置のガス発生器で使用されているフィルタと同じものを使用することができるが、前記フィルタよりも嵩密度が小さいものでもよい。
第１カップ部材２１、第２カップ部材３１および筒状フィルタ５０の間には、リテーナ４０が配置されている。
【００３１】
第１煙幕源発生剤組成物２５と第２煙幕源発生剤組成物３４は、燃料と酸化剤を含むもので、燃焼によりアルカリ金属の塩化物、酸化物または炭酸塩を生じさせるものである。
燃料は、ニトロセルロース、ニトログアニジン、硝酸グアニジン、ジシアンジアミド、メラミン、メラミンシアヌレート、5-アミノテトラゾール、5,5'-ビステトラゾール2アンモニウム塩から選ばれるものが好ましい。
【００３２】
酸化剤は、塩素酸カリウム、塩素酸ナトリウム、過塩素酸ストロンチウム、過塩素酸マグネシウム、過塩素酸アンモニウム、過塩素酸カリウム、過塩素酸ナトリウム、硝酸ストロンチウム、硝酸カリウム、硝酸ナトリウムから選ばれるものが好ましい。
酸化剤は、燃料と酸化剤を瞬時に燃焼させて大量のガス（窒素ガスや二酸化炭素を含むガス）を発生させる共に、酸化剤自体が変化することで煙幕源を生じさせるものである。
例えば、塩素酸カリウムや過塩素酸カリウムは塩化カリウムの粉末となって煙幕源となり、硝酸カリウムは、酸化カリウム、炭酸カリウム（ガス中の二酸化炭素と反応する）などの粉末となって煙幕源となる。
【００３３】
さらに燃料と酸化剤に加えて、バインダーを含むこともできる。バインダーは、第１煙幕源発生剤組成物２５と第２煙幕源発生剤組成物３４を所望形状に成形するときに使用する成分であり、グアガム、カルボキシルメチルセルロースナトリウム（ＣＭＣＮａ）、エチルセルロース、ポリビニルピロリドン、ポリアクリルアミド、デンプン、デキストリンから選ばれるものが好ましい。
【００３４】
第１煙幕源発生剤組成物２５と第２煙幕源発生剤組成物３４中の各成分の含有割合は、次のとおりである。
燃料は５０〜７０質量％が好ましく、４５〜６５質量％がより好ましく、
酸化剤は３０〜５０質量％が好ましく、３５〜５５質量％がより好ましい。
バインダーは、燃料と酸化剤の合計１００質量部に対して、５〜５０質量部が好ましく、５〜３０質量部がより好ましい。
【００３５】
第１煙幕源発生剤組成物２５と第２煙幕源発生剤組成物３４は、さらに発煙剤を含んでいてもよい。
発煙剤としては、第１成分のパラフィンワックス、マイクロクリスタリンワックス、ポリエチレングリコールと、第２成分の金属炭酸塩（水和物）、金属水素化物、金属水酸化物から選ばれるものが好ましい。
発煙剤は、第１成分から選ばれるものでもよいし、第２成分から選ばれるものでもよいし、第１成分と第２成分から選ばれるものを組み合わせてもよい。
第１成分は、作動時における熱により気化（状態変化）してガス（煙幕源）となり、前記ガスが冷却されて液滴や、さらに冷却されて粉末となって煙幕となる。気化によって拡散する空間に煙幕を均一濃度に分散させることができるほか、広範囲にわたって拡散させることができる。
第２成分は、作動時における熱により反応（熱分解）して、酸化物（酸化物粉末）と水（水蒸気）（煙幕源）に変化した後、酸化物粉末は飛散することでそのまま煙幕となり、水蒸気は冷却されて液滴となって煙幕となる。そのため煙幕成分が酸化物粉末だけでなく、水蒸気からも供給され、濃度の濃い煙幕を発生させることができる。
【００３６】
発煙剤として第１成分と第２成分から選ばれるものを組み合わせると、異なる煙幕源を発生させることができるため、煙幕の濃度や噴出量を高めることができるので好ましい。
第１成分と第２成分は、それぞれ単独であっても十分な煙幕源を発生させることができるため、第１成分と第２成分を組み合わせて使用する場合でも、それらの割合は特に制限されるものではない。
第１煙幕源発生剤組成物２５と第２煙幕源発生剤組成物３４が発煙剤を含有するときは、発煙剤の含有割合は３０〜７０質量％がより好ましい。
なお、発煙剤は、煙幕発生器１０内に収容することもできるし、煙幕発生器１０の外部であって、煙幕源排出口１６に近接する位置に配置するようにしてもよい。例えば、発煙剤を開口部のある容器に収容した状態で、煙幕発生装置で使用する支持体に取り付けることで、煙幕発生器１０の煙幕源排出口１６から排出された高温の煙幕源と共に室内に排出されるようにすることもできる。
【００３７】
第２煙幕源発生室３０内には、第２点火器３３が作動しないような場合に備えて、望ましくは第１点火器２２が作動してから１０秒を超えた時間が経過したとき、第１煙幕源発生剤組成物２５の燃焼によるハウジング１１内の温度上昇を受けて自然着火できる自然着火材料を配置することができる。
自然着火材料としては、ニトロセルロース系のシングルベース火薬を使用することができる。
【００３８】
＜図２の本発明の煙幕発生装置で使用する煙幕発生器＞
本発明で使用する煙幕発生器は、公知のエアバッグ装置用のガス発生器（例えば、特開２００２−２７４３１４号公報の図１参照）をそのまま、または一部改変して使用することができるほか、特開平１０−３２４５８８号公報の図５に示されているような点火器が１つのガス発生器をそのまま、または一部改変して使用することができる。
また図２に示す形状のハウジングを使用したもののほか、シリンダー形状のハウジングを使用したものでもよい。
図２により本発明の煙幕発生装置（第２の煙幕発生装置）で使用する煙幕発生器の別実施形態を説明する。
【００３９】
煙幕発生器100は、第１シェル112と第２シェル113が互いのフランジ部の接触部において溶接一体化されたアルミニウム製のハウジング111を有している。
第１シェル11は、天板部114と第１周壁部115を有している。
第１周壁部115は、第１煙幕源発生室120で発生した第１煙幕源を排出するための煙幕源排出口116を有している。煙幕源排出口116は、防湿のため、内側からシールテープで閉塞されている。
第２シェル113は、底板部117と第２周壁部118を有している。
ハウジングの周壁部は、第１周壁部115と第２周壁部118から形成されており、第１周壁部115側はフランジ部111ａを有している。
【００４０】
第１シェル112の天板部114には、熱電素子６０が天板部114の外表面に貼り付けられた状態で配置されている。
熱電素子６０は薄い板片形状（例えば、正方形）のものであり、天板部114の表面と熱電素子６０の間には、必要に応じて断熱材を介在させることで、熱電素子６０が動作するための最適温度になるようにすることもできる。
なお、熱電素子６０の形状に応じて、第１シェル112の天板部114以外の部分に配置することもできる。
【００４１】
ハウジング111内には、第１煙幕源発生室120と第２煙幕源発生室130が配置されている。
第１煙幕源発生室120と第２煙幕源発生室130は、第２煙幕源発生室130を形成する筒部材131により分離されている。
筒部材131は、第１開口部が天板部114に溶接固定され、第２開口部が底板部117に溶接固定されている。筒部材131は、内側または外側の一部が断熱材で覆われていてもよい。
筒部材131内は、半径方向に配置された板状の第１隔壁145と、軸方向に配置された筒状の第２隔壁146により軸方向及び半径方向に２つの空間に仕切られている。
【００４２】
筒部材131の外側空間が第１煙幕源発生室120となり、筒部材131の内側空間の天板部114側の空間が第２煙幕源発生室130となっている。
筒部材131の第１煙幕源発生室120に面した周壁には、作動時において第２煙幕源発生室130と第１煙幕源発生室120を連通するための連通口（第２煙幕源の排出口）132が形成されている。連通孔132は、外側からシールテープで閉塞されている。
筒部材131の底板部117側の板状の第１隔壁145と筒状の第２隔壁146により仕切られた空間内に第１点火器122と第１伝火薬126が収容されている。
第１点火器122と第１伝火薬126が収容された空間と第１煙幕源発生室120は、第１伝火孔123で連通されている。
筒部材131の底板部117側の筒状の第２隔壁146により仕切られた空間内に第２点火器133が収容されており、第２煙幕源発生室130内に配置された貫通孔を有する伝火薬カップ137内に伝火薬136が収容されている。
【００４３】
第１煙幕源発生室120内には第１煙幕源発生剤組成物125が充填され、第２煙幕源発生室130内には第２煙幕源発生剤組成物134が充填されている。
第１煙幕源発生室120の外側には、筒状フィルタ150が配置されている。筒状フィルタ150は、煙幕源排出口116を有している第１周壁部115と第２周壁部118との間に間隔をおいて配置されている。
筒状フィルタ150は、第１リテーナ140と第２リテーナ141で支持されている。
第３リテーナ142は、第１煙幕源発生剤組成物125の充填量に応じて第１煙幕源発生室120の容積を調整するためのものである。
筒状フィルタ150は、公知のエアバッグ装置のガス発生器で使用されているフィルタと同じものを使用することができるが、前記フィルタよりも嵩密度が小さいものでもよい。
【００４４】
＜図３の煙幕発生装置＞
図３の煙幕発生装置200は、図１に示す煙幕発生器１０を使用したものであるが、煙幕発生器１０に代えて図２に示す煙幕発生器100を使用することもできる。なお、図３は支持体201のみが断面図で示されている。
煙幕発生装置200は、室内の天井250に取り付けられているが、設置状況に応じて壁、天井と壁の境界部などに取り付けることができる。
【００４５】
図３の煙幕発生装置200では、支持体201として、煙幕源を排出するための複数の開口部202とフランジ部203を有しているカップ容器を使用している。
支持体201は、フランジ部203が煙幕発生器１０のフランジ部１１ａに当接された状態で、天井250に固定されている。
煙幕発生器１０は、第１シェル１２側が天井250から突き出され、第２シェル１３側は天井250内部に埋設されている。
ファン210は、支持体201の底面に取り付けられており、煙幕発生器１０に貼り付けられた熱電素子６０とリードワイヤ６２を介して電気的に接続されている。
なお、本発明の熱電素子60を用いれば、警報装置、照明装置などの防犯に有用な他の関連装置を作動できるようにすることができ、従って本発明の煙幕発生装置200は、ファン210を作動させても余剰電力があるときは、警報装置、照明装置などの防犯に有用な他の関連装置も作動できるようにすることもできる。
【００４６】
次に、煙幕発生装置200を防犯装置として使用する場合について説明する。
防犯装置は、センサーが屋内への不法侵入者を検知したとき、煙幕発生器１０に指令を送ることで、第１点火器２２と第２点火器３３を作動できるような作動システムを備えているものである。
また煙幕発生器１０の第１点火器２２と第２点火器３３は、外部電源（バッテリーなども含む）と接続する。
【００４７】
第１カップ２１内の第１点火器２２が作動すると伝火薬が着火燃焼して、伝火孔２３から火炎などが第１煙幕源発生室２０内に放出され、第１煙幕源発生剤組成物２５が着火燃焼する。
このとき、第１煙幕源発生室２０内の温度が上昇することから、ハウジング１１の温度も上昇するため、第１シェル１２の天板部１４に貼り付けられた熱電素子６０により発電が開始される。
【００４８】
第１煙幕源発生剤組成物２５の着火燃焼により高温状態の第１煙幕源（ガス）が発生し、フィルタ５０を通過した後、煙幕源排出口１６から屋内に排出される。
屋内に排出された高温状態の第１煙幕源（ガス）は冷却されて煙幕を生成し、前記煙幕が室内に漂うことで不法侵入者の視界が遮られる。
このとき、熱電素子６０とリードワイヤ６２で接続されているファン210が作動して送風するため、前記煙幕は速やかに室内に拡散される。
【００４９】
第１点火器２１の作動から１〜１０秒の時間差をおいて第２点火器３３を作動させ、第２煙幕源発生室３０にて第２煙幕源発生剤組成物３４を着火燃焼させる。
第２煙幕源発生剤組成物３４の着火燃焼により高温状態の第２煙幕源（ガス）が発生すると、前記第２煙幕源（ガス）は第１煙幕源発生室２０内に流入する。
このとき、第２煙幕源発生室３０と第１煙幕源発生室２０の温度も上昇することから、引き続きハウジング１１も高い温度で維持されるため、第１シェル１２の天板部１４に貼り付けられた熱電素子６０により発電が継続される。
その後、第１煙幕源発生室２０内に流入した煙幕源はフィルタ５０を通過し、煙幕源排出口１６から屋内に排出される。
このとき、ファン210は送風状態を維持しているため、屋内に排出された高温状態の第２煙幕源（ガス）は拡散されながら冷却されて煙幕を生成し、前記煙幕が室内に漂うことで不法侵入者の視界が遮られる。
【００５０】
本発明の煙幕発生装置は、煙幕発生器とファンを組み合わせていることから、煙幕の拡散速度を高め、拡散範囲を広くすることができるため、防犯装置として使用したときは防犯効果を高めることができる。
また、ファンの作動電力として煙幕発生器が備えている熱電素子が発電する電気を使用しているため、煙幕発生器を作動させることができれば、連動してファンも作動できることから、煙幕発生器が作動してもファンが作動しないという事態が防止できる。
【符号の説明】
【００５１】
１０  煙幕発生器
１１  ハウジング
１６  煙幕源排出口
２０  第１煙幕源発生室
２２  第１点火器
２５  第１煙幕源発生剤組成物
３０  第２煙幕源発生室
２３  第２点火器
３４  第２煙幕源発生剤組成物
５０  フィルタ
６０  熱電素子
２００  煙幕発生装置
２０１  支持体
２１０  ファン
【図１】
0006334298.tif 000002
【図２】
0006334298.tif 000003
【図３】
0006334298.tif 000004